(57)【要約】【課題】ネットワークでつながれた情報表示端末装置を有する洗濯機において、どんな電波事情でも洗濯終了確認ができるようにしたことを目的とする。【解決手段】情報表示端末装置１とネットワーク接続する洗濯機２とからなり、前記洗濯機２が、運転開始時にコース運転に要する時間、または、コース運転を終了する時刻を前記情報表示端末装置１に通知しておき、終了予定の運転時間を経過しても、洗濯機２より終了通知を受けない場合、情報表示端末装置１は洗濯機２に対して、現在の状態を確認する。これによって、どんな電波事情でも洗濯終了確認ができる。【選択図】  図２
2004350931.tif 000002
【特許請求の範囲】
【請求項１】
情報表示端末装置とネットワーク接続され、洗濯運転開始時に、コース運転に要する時間、またはコース運転を終了する時刻を前記情報表示端末装置に通知しておき、予定した運転時間を経過しても、洗濯終了通知を受けない場合、情報表示端末装置が現在の洗濯状態を確認するようにした洗濯機。
【請求項２】
情報表示端末装置が現在の洗濯状態を確認して、既に運転コースが終了していた場合、前記情報表示端末装置の画面にて運転終了をポップアップ表示する請求項１に記載の洗濯機。
【請求項３】
洗濯運転開始時に情報表示端末装置に送ってくる洗濯運転に要する時間に、マージンの時間を足して、この運転時間を経過しても洗濯終了通知を受けない場合、現在の洗濯状態を確認する請求項１または２に記載の洗濯機。
【請求項４】
洗い・すすぎ・脱水の各工程を終了毎に、終了までに要する運転時間を情報表示端末装置に送信する請求項１に記載の洗濯機。
【請求項５】
洗濯運転中に、ユーザが運転内容を変更した場合、終了までに要する運転時間を情報表示端末装置に送信する請求項１に記載の洗濯機。
【請求項６】
洗濯運転中に、洗濯機自身が運転内容を変更した場合、終了までに要する運転時間を情報表示端末装置に送信する請求項１に記載の洗濯機。
【請求項７】
洗濯運転開始時に情報表示端末装置に送ってくる運転に要する時間が、所定の範囲を超える場合、所定の洗濯時間を経過した時点で情報表示端末装置が洗濯状態を確認する請求項１に記載の洗濯機。
【請求項８】
運転コースを行っているときに異常が発生して運転コースを中止した場合、情報表示端末装置は予定した運転時間を経過しても、現在の洗濯状態を確認しない請求項１に記載の洗濯機。
【請求項９】
情報表示端末装置の画面に洗濯運転終了画面が表示されている段階で、洗濯再開操作をした場合には、情報表示端末装置の運転終了画面を消去する請求項１に記載の洗濯機。
【請求項１０】
請求項１〜９のいずれか１項に記載の洗濯機における少なくとも一部の機能をコンピュータにより実施させるためのプログラム。
【発明の詳細な説明】
【０００１】
【発明の属する技術分野】
本発明は、ネットワークでつながれた情報表示端末装置を有する洗濯機およびそのプログラムに関するものである。
【０００２】
【従来の技術】
従来の情報表示端末装置とネットワーク接続された洗濯機では、洗濯機の運転開始時に、コース運転に要する時間を情報表示端末装置に通知しておき、情報表示端末装置は予定した運転時間を経過しても、該当洗濯機より終了通知を受けない場合、該当洗濯機に対して、特に現在の状態を確認しないシステムが提案されている（例えば、特許文献１、２参照）。
【０００３】
【特許文献１】
特開２００３−４７０７４号公報
【特許文献２】
特開２００２−１８６０５７号公報
【０００４】
【発明が解決しようとする課題】
しかしながら、前記従来の洗濯機は、運転が終了した場合に、洗濯機から情報表示端末装置に終了通知を行い、これに対して、情報表示端末装置は、運転終了をポップアップ画面にて報知するが、洗濯機から情報表示端末装置に終了通知を通知しても、電波の事情が悪いときなどに情報表示端末装置にこれが届かず終了確認ができないという課題があった。
【０００５】
本発明は、このような従来の課題を解決するもので、どんな電波事情でも洗濯終了確認ができるようにした洗濯機およびそのプログラムを提供することを目的とする。
【０００６】
【課題を解決するための手段】
前記目的を達成するために、本発明の洗濯機およびそのプログラムは、情報表示端末装置とネットワーク接続され、洗濯運転開始時に、コース運転に要する時間、またはコース運転を終了する時刻を前記情報表示端末装置に通知しておき、予定した運転時間を経過しても、洗濯終了通知を受けない場合、情報表示端末装置が現在の洗濯状態を確認するようにしたものである。
【０００７】
これによって、電波の事情が悪いときに情報表示端末装置に洗濯終了通知情報が届かなかった場合でも、情報表示端末装置が現在の洗濯状態を確認することによって、洗濯終了確認ができる。
【０００８】
【発明の実施の形態】
請求項１に記載の発明は、情報表示端末装置とネットワーク接続され、洗濯運転開始時に、コース運転に要する時間、またはコース運転を終了する時刻を前記情報表示端末装置に通知しておき、予定した運転時間を経過しても、洗濯終了通知を受けない場合、情報表示端末装置が現在の洗濯状態を確認するようにした洗濯機とすることにより、電波の事情が悪いときに情報表示端末装置に洗濯終了通知情報が届かなかった場合でも、情報表示端末装置が現在の洗濯状態を確認することによって、洗濯終了確認ができる。
【０００９】
請求項２に記載の発明は、情報表示端末装置が現在の洗濯状態を確認して、既に運転コースが終了していた場合、前記情報表示端末装置の画面にて運転終了をポップアップ表示する請求項１に記載の洗濯機とすることにより、居間等に設置してある情報表示端末装置から洗濯終了が確認できる。
【００１０】
請求項３に記載の発明は、洗濯運転開始時に情報表示端末装置に送ってくる洗濯運転に要する時間に、マージンの時間を足して、この運転時間を経過しても洗濯終了通知を受けない場合、現在の洗濯状態を確認する請求項１または２に記載の洗濯機とすることにより、正確な洗濯状態を確認することができる。すなわち、洗濯機が設置される環境は様々であり、給水に要する時間や排水に要する時間は、設置環境に応じて伸びる傾向にあるので、運転開始時に洗濯機から情報表示端末装置に送られてくる運転コースに要する時間より実際は伸びるので、マージン分の時間も考慮することにより、正確な終了時刻などが確認できる。
【００１１】
請求項４に記載の発明は、洗い・すすぎ・脱水の各工程を終了毎に、終了までに要する運転時間を情報表示端末装置に送信する請求項１に記載の洗濯機とすることにより、より精度の高い洗濯運転終了のタイミングを情報表示端末装置が知ることが可能となる。
【００１２】
請求項５に記載の発明は、洗濯運転中に、ユーザが運転内容を変更した場合、終了までに要する運転時間を情報表示端末装置に送信する請求項１に記載の洗濯機とすることにより、運転コースを行っているときに、ユーザが給水水位の設定を高くするなどコースの内容を変更することにより、運転に要する時間が変更した場合でも、より精度の高い運転終了のタイミングを情報表示端末装置が知ることが可能となる。
【００１３】
請求項６に記載の発明は、洗濯運転中に、洗濯機自身が運転内容を変更した場合、終了までに要する運転時間を情報表示端末装置に送信する請求項１に記載の洗濯機とすることにより、より精度の高い運転終了のタイミングを情報表示端末装置が知ることが可能となる。すなわち、脱水工程において、布かたよりから修正すすぎを行うなど、洗濯機自身が運転コースの内容を変更し、運転に要する時間が変更された場合でも、より精度の高い運転終了のタイミングを情報表示端末装置が知ることが可能となる。
【００１４】
請求項７に記載の発明は、洗濯運転開始時に情報表示端末装置に送ってくる運転に要する時間が、所定の範囲を超える場合、所定の洗濯時間を経過した時点で情報表示端末装置が洗濯状態を確認する請求項１に記載の洗濯機とすることにより、ノイズなどにより運転開始時に洗濯機が送信する時間自体がおかしい場合にも、あらかじめ決められた時間後に、洗濯状態を確認するため、洗濯終了通知の取りこぼしを防ぐことができる。
【００１５】
請求項８に記載の発明は、運転コースを行っているときに異常が発生して運転コースを中止した場合、情報表示端末装置は予定した運転時間を経過しても、現在の洗濯状態を確認しない請求項１に記載の洗濯機とすることにより、洗濯運転中止時には、無駄な確認はせずに消費電力を削減できる。
【００１６】
請求項９に記載の発明は、情報表示端末装置の画面に洗濯運転終了画面が表示されている段階で、洗濯再開操作をした場合には、情報表示端末装置の運転終了画面を消去する請求項１に記載の洗濯機とすることにより、情報表示端末装置が設置してある居間などにユーザが戻ってきた段階では、すでに１回目の洗濯コースの終了画面を消すことにより、１回目のものなのか、２回目のものなのかなど、運転終了通知がいつの洗濯運転の終了を報知しているのかを情報表示端末装置で認識できる。
【００１７】
請求項１０に記載の発明は、請求項１〜９のいずれか１項に記載の洗濯機における少なくとも一部の機能をコンピュータにより実施させるためのプログラムとすることにより、運用途中でのプログラムの変更や追加を行うことができ、新たな仕様変更に対応できる。
【００１８】
【実施例】
以下、本発明の実施例について、図面を用いて説明する。
【００１９】
（実施例１）
図１は、洗濯機、情報表示端末装置を含むネットワークシステムの構成例を示している。
【００２０】
図において、情報表示端末装置１は、宅内の居間などに設置され、洗濯機２と無線の家庭内ＬＡＮを構成している。宅内に設置された情報表示端末装置１は外部の通信ネットワーク３を介してデータセンター等に設置されるセンターサーバー４と接続している。センターサーバー４には天気予報やニュース、販売店の情報、施設の空き情報などが常に最新の状態に更新されて記憶されている。これらセンターサーバー４に蓄積されている情報は情報表示端末装置１を操作することにより、情報表示端末装置１から情報の要求信号が通信ネットワーク３を介してセンターサーバー４に送信され、センターサーバー４から要求された情報が通信ネットワーク３を介して情報表示端末装置１に送信され、情報表示端末装置１ではその受信した情報を表示する。
【００２１】
次に情報表示端末装置１と洗濯機２の間のやり取りを説明する。情報表示端末装置１では、情報表示端末装置１と無線ネットワークでつながれた洗濯機２の現在の状態をモニターし、表示画面によって表示する。具体的には、洗濯機２の状態に変化（例えば、洗濯機の運転コースが開始されたり、運転コースが終了されたりした状態の変化）があった際に、洗濯機２から変化した状態を無線で情報表示端末装置１に通知し、その変化した状態を情報表示端末装置１の画面に表示する。また、これらは状態を表示するだけでなく、遠隔操作も可能であり、情報表示端末装置１の画面のタッチパネルなどから洗濯機２へ運転の指示を出したり、携帯電話５などから情報表示端末装置１を経由して洗濯機２へ操作したりすることも可能である。以上がネット洗濯機とその周辺の情報表示端末装置のシステム構成についての説明である。
【００２２】
図２は、情報表示端末装置１と洗濯機２との情報のやり取りを表している。
【００２３】
図２において、（ａ）のように、洗濯機２は運転開始時に、洗濯の終了予定時刻を含んだ情報６を情報表示端末装置１に無線を使って送信する。情報表示端末装置１はその情報６を画面にて洗濯終了予定時刻７を表示する。情報表示端末装置１は洗濯終了予定時刻７を過ぎても洗濯機２側より終了の通知を受けない場合、図２の（ｂ）のように、１￣２分後に情報表示端末装置１から問い合わせ確認情報８を送信し、洗濯機２に状態を確認する。また、この洗濯終了予定時刻７というのは時刻だけでなく、残り時間であってもよい。
【００２４】
次に、なぜこのような運転を行うかについて説明する。洗濯機２が運転を開始した段階では、電波の状況は割と安定している。なぜならば、運転を開始するまでには、洗濯機であればモータは停止しており、例えば、電子レンジであれば、マグネトロンなど高周波出力は行っていないので、ノイズ・雑音要素を発生しないからである。一方、運転コースを終了した時点においては、洗濯機であれば脱水のためにモータを回していて、これを急速に停止したりするなどノイズ・雑音要素が大きく、洗濯の終了通知を含んだ情報６を情報表示端末装置１へ無線で送信しにくいため、しばしば、洗濯機２の洗濯の終了通知を含んだ情報６が洗濯機２側から情報表示端末装置１に届かない場合がある。それならば、洗濯機２が運転コースを終えてから１〜２分ぐらい経過してから洗濯の終了通知を含んだ情報６を情報表示端末装置１に送ればどうかと考えられるが、運転コースが終了して、いつまでも電源が切れない状態が続くことから、次の洗濯が待っている場合にとっては利便性が損なわれる。そこで前述したように、洗濯機２は運転開始時に、終了予定時刻を含んだ情報６を情報表示端末装置１に送信し、洗濯終了予定時刻７を情報表示端末装置１に通知しておく。情報表示端末装置１は洗濯終了予定時刻７を過ぎても、洗濯機２側より終了予定時刻を含んだ情報６を受信していない場合、情報表示端末装置１から問い合わせ確認情報８を送信し、洗濯機２に状態を確認しに行き、運転が終わっているとわかった場合に洗濯機２は情報表示端末装置１に対して洗濯終了を含んだ情報６を情報表示端末装置１へ送信し、その画面によって洗濯が終了したことを伝える。
【００２５】
この方法を用いることによって、洗濯機２側から情報表示端末装置１に対する終了予定時刻や洗濯の終了通知を含んだ情報６が情報表示端末装置１に届かなくても、念のため情報表示端末装置１から洗濯機２への状態確認を行うことにより、１〜２分ほど遅れたとしても、洗濯機２の設置されている、例えば、風呂場脱衣所から遠い居間に設置されている情報表示端末装置１の画面に無線によって洗濯の終了を報知することができる。
【００２６】
以上から、通常であれば、洗濯機２の運転が終了した場合に、洗濯機２から情報表示端末装置１の画面にて終了通知を含んだ情報６を通知するが、無線電波の事情が悪いときに情報表示端末装置１に終了予定時刻や洗濯の終了通知を含んだ情報６が届かなかった場合に、洗濯終了予定時刻７や洗濯終了を伝える画面を表示できないという課題を解決できる。
【００２７】
（実施例２）
次に、本発明の実施例２における洗濯機について説明する。実施例１と基本的には同じであるので、相違点についてのみ説明する。
【００２８】
図３において、洗濯機２が運転開始時に情報表示端末装置１に送ってくる洗濯終了予定時刻に、（ａ）のように、マージン（空白）の時間を足して、このマージン終了予定時刻７ａの時間を考慮した終了予定時刻を含んだ情報６ａを洗濯機２から情報表示端末装置１に送信するが、もし送信されなかった場合、（ｂ）のように、終了予定時刻７ａを経過しても洗濯機２より洗濯終了の通知を受けない場合、情報表示端末装置１は問い合わせ確認情報８を送信し、洗濯機２に対して現在の状態を確認する。というのは、洗濯機２の設置される場所というのは、前述したように風呂場脱衣所から遠い居間に設置されているなど環境は様々であり、給水に要する時間や排水に要する時間は、設置環境に応じて伸びる傾向にあるので、洗濯機２から情報表示端末装置１に運転開始時に送られてくる運転コースに要する時間より実際は伸びることから、洗濯終了予定時刻７にマージンの時間分を考慮して洗濯終了予定時刻７ａを設けるわけである。
【００２９】
（実施例３）
次に、本発明の実施例３における洗濯機について説明する。実施例１と基本的には同じであるので、相違点についてのみ説明する。
【００３０】
洗濯機２は、洗い・すすぎ・脱水の一連の運転工程を行うが、本実施例では、洗い・すすぎ・脱水の各工程の終了毎に、終了までに要する運転時間を情報表示端末装置１に逐一送信するものである。
【００３１】
具体的には、図４のように、洗いから脱水までの終了時刻は前述の洗濯終了予定時刻７によって表示されるが、その他に運転前に洗い終了予定時刻９も洗濯機２から無線にて情報表示端末装置１の画面に表示させ、洗いが終了した時点で、洗い終了予定時刻９を消去し、今度はすすぎ終了予定時刻１０を洗濯機２から無線にて情報表示端末装置１の画面に表示させ、すすぎが終了した時点で、すすぎ終了予定時刻１０を削除し、今度は脱水終了予定時刻１１を洗濯機２から無線にて情報表示端末装置１の画面に表示させ、洗濯乾燥一体型の洗濯機においては、脱水が終了した時点で、脱水終了予定時刻１１を消去し、今度は乾燥終了予定時刻１２を洗濯機２から無線にて情報表示端末装置１の画面に表示する。これら工程毎に区切った終了時刻を情報表示端末装置１から洗濯機２に報知することによって、より精度の高い洗濯終了のタイミングを知ることが可能であり、また全体の洗濯終了を示す前述の洗濯終了予定時刻７も工程毎の終了時間とリンクさせることにより、その都度修正を施し、常に精度の高い洗濯終了のタイミングを表示するといった具合である。
【００３２】
また、洗濯機２は、洗濯コースを運転中に、ユーザが操作表示部から運転内容を変更した場合、洗濯の終了予定時刻を含んだ情報６を情報表示端末装置１に無線を使って送信し、洗濯終了予定時刻７を情報表示端末装置１に表示する。これによって、ユーザが運転コースを実行しているときに、給水水位の設定を高くするなどコースの内容を変更することにより、運転に要する時間が変更した場合でも、精度良く洗濯終了のタイミングを情報表示端末装置１が知ることが可能である。一方、洗濯コースを運転中に、布かたよりなどによって洗濯機自身が運転コースの内容を変更した場合、洗濯の終了予定時刻を含んだ情報６を情報表示端末装置１に無線を使って送信し、洗濯終了予定時刻７を情報表示端末装置１に表示する。これによって、脱水工程において、布かたよりから、洗濯機が修正すすぎを行うなど、運転コースの内容を変更して、運転に要する時間を変更した場合でも精度良く洗濯終了のタイミングを情報表示端末装置１が知ることが可能となる。
【００３３】
（実施例４）
次に、本発明の実施例４における洗濯機について説明する。実施例１と基本的には同じであるので、相違点についてのみ説明する。
【００３４】
図５において、（ａ）のように、洗濯機２が運転開始時に、無線を使って洗濯の終了予定時刻を含んだ情報６が情報表示端末装置１へ送信され、画面に表示される洗濯終了予定時刻７が、所定の範囲を超える場合（例えば、洗い・すすぎ・脱水の一連の工程は約４０分で終了するのに、１２時間後というような異常な値）、（ｂ）のように、一般的な洗濯時間を経過した後（例えば、運転開始後１時間後など）、情報表示端末装置１から問い合わせ確認情報８を送信し、洗濯機２に状態を確認する。
【００３５】
以上のように、ノイズ・雑音要素などにより、運転開始時に洗濯機２から洗濯の終了予定時刻を含んだ情報６を情報表示端末装置１に無線を使って送信し、情報表示端末装置１に表示する洗濯終了予定時刻７が１２時間後などおかしい場合にも、あらかじめ決められた時間後（例えば、運転開始後から１時間後など）に、情報表示端末装置１から問い合わせ確認情報８を送信し、洗濯機２に無線を使って問い合わせるようにしている。そして、洗濯機２が洗濯終了予定時刻７を未送信の場合、情報表示端末装置１へ無線を使って洗濯の終了予定時刻を含んだ情報６を送信し、情報表示端末装置１の画面に洗濯終了予定時刻７を表示することによって、洗濯機２からの終了通知の取りこぼしを防ぐことができ、精度の高い洗濯終了時刻を伝えることができる。
【００３６】
（実施例５）
次に、本発明の実施例５における洗濯機について説明する。実施例１と基本的には同じであるので、相違点についてのみ説明する。
【００３７】
図６において、（ａ）のように、洗濯機２が運転コースを行っているときに洗濯機２側で異常が発生し、運転コースを中止したとする。洗濯機２が運転を停止しているにもかかわらず、それを知らない情報表示端末装置１は、定期的に無線を使って問い合わせ確認情報８を送信し、洗濯機２に状態を確認する。しかし、これでは毎回、情報表示端末装置１が洗濯機２に問い合わせることになり、その都度、無駄な電力を消費している。これを改善するため、（ｂ）のように、洗濯機２が異常を発生して運転コースをやめた場合には、その旨を情報６によって、情報表示端末装置１に送信し、あらかじめ情報表示端末装置１に伝えて画面によって洗濯機２側に異常が発生したことを表示させユーザに伝える。
【００３８】
これによって、情報表示端末装置１は予定した運転時間を経過しても、洗濯機２に対して、現在の状態を確認しないことによって、無駄な問い合わせを行わずに消費電力を削減している。
【００３９】
（実施例６）
次に、本発明の実施例６における洗濯機について説明する。実施例１と基本的には同じであるので、相違点についてのみ説明する。
【００４０】
図７において、（ａ）のように、情報表示端末装置１の画面に洗濯機２の運転終了画面（例えば、「洗濯が終了しました。」を表示）が表示されている段階で、洗濯機２の操作にて電源を入れる、または、洗濯コースを開始した場合には、（ｂ）のように、その旨を情報６によって洗濯機２より情報表示端末装置１へ送信して伝え、情報表示端末装置１の運転終了画面を消去する。
【００４１】
これは、情報表示端末装置１が設置してある居間などにユーザが戻ってきた段階では、１回目の洗濯コースの終了画面を消すことにより、１回目のものなのか、２回目のものなのかなど、運転終了通知がいつの洗濯運転の終了を報知しているのかを混乱なく情報表示端末装置１で認識できるからである。
【００４２】
具体的には、居間でくつろいでいるユーザが、居間に設置されている情報表示端末装置１の画面にて、洗濯機２が運転コースを終了した旨の運転終了の画面が表示されてブザー音が鳴った場合に、「あぁ、洗濯が終わったのだ。」と情報表示端末装置１の画面を見るだけで、この運転終了画面を消すことなく、ユーザは風呂場脱衣所の洗濯機へ行き、洗濯が終了した衣類を取り出して、引き続き２回目の洗濯を行った場合、洗濯機２の操作パネルの操作にて再度電源を入れる、または、洗濯コースを開始した段階で、その旨を情報６によって洗濯機２より情報表示端末装置１へ送信して伝え、情報表示端末装置１に表示中の運転終了画面を消去するようにしたものである。
【００４３】
これによって、ユーザが居間に戻ってきた段階では、すでに１回目の洗濯コースの終了画面が勝手に消えて、２回目の洗濯終了予定時刻７が表示され、１回目の洗濯か、２回目の洗濯なのかなどを混乱なく、いつの洗濯運転の終了を情報表示端末装置１で報知しているのかが明確になる。
【００４４】
なお、上記した各実施例１〜６における洗濯機の少なくとも一部の機能をコンピュータにより実施させるためのプログラムとすることにより、運用途中でのプログラムの変更や追加を行うことができ、新たな仕様変更に対応できるものである。
【００４５】
【発明の効果】
以上のように、本発明の洗濯機およびそのプログラムによれば、洗濯運転終了予定の時間を経過しても、洗濯終了通知を受けない場合、情報表示端末装置は現在の洗濯状態を確認する。これによって、電波の事情が悪いときに情報表示端末装置に洗濯終了通知情報が届かなかった場合でも、情報表示端末装置が現在の洗濯状態を確認することによって、終了確認ができる。
【図面の簡単な説明】
【図１】本発明の各実施例における洗濯機および情報表示端末装置を含むネットワークシステムの構成例を示す図
【図２】本発明の実施例１における洗濯機と情報表示端末装置との情報のやり取りを表している図
【図３】本発明の実施例２における洗濯機と情報表示端末装置との情報のやり取りを表している図
【図４】本発明の実施例３における洗濯機と情報表示端末装置との情報のやり取りを表している図
【図５】本発明の実施例４における洗濯機と情報表示端末装置との情報のやり取りを表している図
【図６】本発明の実施例５における洗濯機と情報表示端末装置との情報のやり取りを表している図
【図７】本発明の実施例６における洗濯機と情報表示端末装置との情報のやり取りを表している図
【符号の説明】
１  情報表示端末装置
２  洗濯機
３  通信ネットワーク
４  センターサーバー
５  携帯電話
６、６ａ  情報
７、７ａ  洗濯終了予定時刻
８  問い合わせ確認情報
９  洗い終了予定時刻
１０  すすぎ終了予定時刻
１１  脱水終了予定時刻
１２  乾燥終了予定時刻
【図１】
2004350931.tif 000003
【図２】
2004350931.tif 000004
【図３】
2004350931.tif 000005
【図４】
2004350931.tif 000006
【図５】
2004350931.tif 000007
【図６】
2004350931.tif 000008
【図７】
2004350931.tif 000009